(57)【要約】  本発明は、少なくとも３つのランプ１を分類する、及びランプ１を少なくとも１つの動作ユニットに割り当てるための方法及び装置に関する。建物内の１つ又は複数の部屋又はホールへのランプ１の備え付け、特に、ランプ１を分類し、ランプ１を少なくとも１つの動作ユニットに割り当てることは、時間集中的なことである。従って、ランプ１の分類及び少なくとも１つの動作ユニットへのランプ１の割り当ては、簡略化されるべきである。本発明によれば、ランプ１は光を発し、他のランプ１は、光を測定し、ランプ１間の距離が、少なくとも１つの光の値に依存して決定され、ランプ１は、前記距離に依存して少なくとも１つの動作ユニットに割り当てられる。
2009510671.tif 000002
【特許請求の範囲】
【請求項１】
識別子を有すると共に電源に接続されている照明手段、ランプソケット、センサ及び制御装置を有する少なくとも３つのランプを分類する、並びに前記制御装置によって前記ランプをオン及びオフに切り換える少なくとも１つの動作ユニットに前記ランプを割り当てる方法であって、
−  スイッチ信号が、光を発する１つのランプと光を測定する他のランプとに供給されるステップと、
−前記１つのランプが光を発し、前記他のランプが光を測定するステップと、
−  少なくとも１つの前記他のランプが、受け取られた前記光の値を含む応答信号を送信するステップと、
−  少なくとも１つの光の値に依存して、前記ランプ間の距離が決定されるステップと、
−  前記ランプが、前記距離に依存して分類され、少なくとも１つの動作ユニットに割り当てられるステップと、
を有する方法。
【請求項２】
最初のステップにおいて、少なくとも１つのランプが、リクエスト信号の後に自身の識別子を送信することを特徴とする、請求項１に記載の方法。
【請求項３】
前記他のランプが時間依存する仕方で応答することを特徴とする、請求項１に記載の方法。
【請求項４】
前記他のランプがリクエストに応じて応答することを特徴とする、請求項１に記載の方法。
【請求項５】
前記制御装置と前記ランプとの間の通信が電源を介して行われることを特徴とする、請求項１に記載の方法。
【請求項６】
前記制御装置と前記ランプとの間の通信が放送信号を介して行われることを特徴とする、請求項１に記載の方法。
【請求項７】
前記制御装置と前記ランプとの間の通信が光変調を介して行われることを特徴とする、請求項１に記載の方法。
【請求項８】
前記制御装置と前記ランプとの間の通信が電源を介して行われることを特徴とする、請求項１に記載の方法。
【請求項９】
前記動作ユニットが複数のスイッチを有していることを特徴とする、請求項１に記載の方法。
【請求項１０】
識別子を有すると共に電源に接続されている照明手段、ランプソケット、センサ及び制御装置を有する少なくとも３つのランプを分類する、並びに、前記制御装置によって前記ランプをオン及びオフに切り換える少なくとも１つの動作ユニットに前記ランプを割り当てる装置であって、前記制御装置は、スイッチオン信号を、光を発する１つのランプと光を測定する他のランプとに供給し、前記１つのランプが光を発し、前記他のランプが光を測定し、少なくとも１つの前記他のランプが、受け取られた光の値を含む応答信号を供給し、前記ランプ間の距離は、少なくとも１つの光の値に依存して決定され、前記ランプは、前記距離に依存して分類され、少なくとも１つの動作ユニットに割り当てられることを特徴とする、装置。
【発明の詳細な説明】
【技術分野】
【０００１】
本発明は、識別子を有していると共に電源に接続されている照明手段、ランプソケット、センサ及び制御装置を有する少なくとも３つのランプを分類する方法及び装置であって、前記ランプを、制御装置によってランプをオン及びオフに切り換える少なくとも１つの動作ユニットに割り当てる方法及び装置に関する。
【背景技術】
【０００２】
制御装置を有する照明装置は、米国特許第2005/0083697号からよく知られており、当該照明装置は、レール上に配されており、目標領域を照明する。前記照明装置におけるセンサは、前記目標領域内に配されている送信機によって放射される光線を測定する。前記光線が、前記目標領域と前記照明装置の１つとの間を移動する物体によって遮られている場合、前記制御装置によって制御されている前記照明ユニットは、前記目標領域が、影を有さないままであるような態様で前記レール上を移動する。
【発明の開示】
【発明が解決しようとする課題】
【０００３】
建物内の１つ又は複数の部屋又はホールへのランプの備え付け、特に、ランプを分類し、ランプを少なくとも１つの動作ユニットに割り当てることは、時間集中的（time-intensive）なことである。
【０００４】
従って、本発明の目的は、前記のようなランプの分類と、少なくとも１つの動作ユニットへの前記ランプの割当て（特に、ランプの空間配置が確実にされなければならない）とを簡略化することにある。
【課題を解決するための手段】
【０００５】
この目的は、添付従属請求項の特徴的なフィーチャによって達成される。当該方法及び前記装置は、前記制御装置が、光を発するランプと、光を測定する他のランプとにスイッチオン信号を送信し、前記１つのランプが光を発し、前記他のランプが光を測定し、少なくとも１つの前記他のランプが、受け取られた光の値を含む応答信号を送信し、少なくとも１つの光の値に依存して、前記ランプ間の距離が決定され、前記距離に依存して前記ランプが分類される及び少なくとも１つの動作ユニットに割り当てられることを特徴とする。
【０００６】
境界条件に依存して、ランプを分類する及び前記ランプを少なくとも１つの動作ユニットに割り当てるモードのようなものを開始する及び実施化するための複数の可能性が存在する。前記識別子の面倒な手動入力が省略される場合、前記制御装置は、リクエスト信号を送信する。前記リクエスト信号を認識したランプは、自身の識別子によって応答する。前記ランプの識別子は、応答のための時間測定を規定しているものである。高い識別子を有するランプは、規定された時間間隔内で、低い識別子を有するランプよりも遅く応答する。従って、連続的な応答、従って重複を有さない応答が、保証される。前記制御装置が、含まれている前記ランプの全ての識別子を受信した後、任意のランプが、光を発するために前記制御装置によって選択される。スイッチオン信号が、関連するランプに送信される。このスイッチオン信号は、周囲の輝度を測定するため、又は、即ち前記センサによって受け取り可能な光を測定するための信号として、前記他のランプによって認識されることができる。規定された単位時間の後、前記他のランプは、自身の識別子に依存して応答し、受け取られた光に対応するデータを送信する。代替的には、全ての前記他のランプは、受け取られた光に関して個々に尋ねられる。前記他のランプと第１のランプとの間の距離は、測定された前記輝度に依存して決定される。推定は、十分である。受信された輝度が高いほど、前記距離は短くなる。第１の近似において、実際のメートル単位での距離は重要でないが、互いに対する前記ランプの相対的な配置のみが重要であるので、線形依存性が前提とされている。その後、前記第２のランプが起動され、前記第２のランプは光を発する。前記他のランプは、時間に依存して又はリクエストに応じて、到来する光に対して応答する。更なるクエリモード（query mode）において、２つのランプ間の既に決定されている距離が異なるように決定されている場合、平均値が得られる。従って、トポロジとしても表される前記ランプの空間配置が、決定されることができる。ランプが、他のランプからの光を受け取らない場合、又は他のランプが前記ランプからの光を受け取らない場合、これらのランプは、互いを認識（see）しない。ランプが互いを認識しない場合、このことは、幾つかの理由のためであり得る。前記ランプは、少なくとも２つの異なる部屋若しくは複数の角がある（multicornered）部屋にあるか、又は互いに長い距離を隔ててホール内に配されている。実際に互いも他のランプも認識していないランプは、1つの群に組み合わされ、少なくとも１つの動作ユニットに割り当てられる。前記動作ユニットは、１つ又は複数の識別子を有している。この配置によれば、部屋の一部、部屋の複数の部分、若しくは部屋、又はホールが、前記動作ユニットによって完全に照明されることができる。有利には、１つ又は複数の動作ユニットは、１つ又は複数のスイッチ、ボタン、切り替えスイッチ又は光調整スイッチ（調光器とも表される）を有している。更に、１つ又は複数の動作ユニットは、赤外線、無線、光又は超音波を介してスイッチオン及びスイッチオフ信号を送信する分散化されたタイマ、動き検出器又はリモコンと解されることもできる。構成プロセスとしても表されるクエリモードを開始する前に、前記のような周囲の輝度が、前記周囲の輝度（即ち１つ又は複数のランプによって生成されていない光）の影響を抑圧するために、オフに切り換えられたランプによって測定される。この測定されている値は、次いで、更なる測定において計算された値と共に考慮に入れられる、即ち減算される。このようなクエリモードの実施化のためにしきい値を規定するのが有利である。前記部屋が昼光による影響を過度に受け、この結果、高い周囲の輝度が存在する場合、前記クエリモードは、他の期間に延期される。夜又は少なくとも黄昏どきの間の暗やみにおいて、これらのクエリモードを実施することが有利である。代替的には、人工的に暗闇を作るために、日よけ又はシャッタが閉じられることができる。この場合、前記センサによる光測定は、昼光によって影響を受けないままでいる。昼光が、窓の側に配されているランプを識別する目的のために使用されることができる。
【０００７】
単純な電球、蛍光照明手段、小型の蛍光照明手段、ハロゲンランプ及び発光ダイオード（又は略してＬＥＤ）は、照明手段として使用されることができる。色が変化可能な発光体を有するランプにおいて、光輝度及び色を測定し、これに応じて前記色が変化可能な発光体を再調整するために、写真センサが利用される。有利には、これらのセンサは、近傍のランプを検出するためのセンサとして同時に使用されることができる。正確な位置を決定するために、センサは、有利には、特に、前記ランプの光によって照明される前記ランプの下の領域に焦点を合わせられる。従って、前記ランプの位置の更に正確な決定が得られる。
【０００８】
他の代替的なものは、規定された場所に識別子を有するランプを配し、この識別子及び前記場所を前記制御装置に転送し、クエリモードを開始することである。この場合、リクエスト信号が送信されることができ、前記リクエスト信号を認識したランプは、応答する。このことは、製造者が部屋又は建物に対してランプの集合を規定する、従って目標物の識別子及び応答時間を予め規定する場合、有利である。このランプの集合は、連続的な番号を与えられており、この結果、前記制御装置への開始及び終了識別子の簡単な入力が可能になる。次いで、前記制御装置は、これらの極限の間にある識別子を生成する。
【０００９】
複数の代替的なものが、前記制御装置、前記ランプ及び前記スイッチの間の通信に利用可能である。第１の実施例において、前記制御装置は、電源ケーブルによって電源に接続されており、前記ランプと前記スイッチとに同時に電力を供給する。次いで、制御命令が、前記電源の導電性ケーブルを介して前記制御装置、前記ランプ及び前記スイッチの間で交換されることができる。このことは、前記導電性ケーブルが、電源及びデータの交換の両方のために設けられることを意味する。この方法は、電力線通信と称される。
【００１０】
第２の実施例において、制御命令は、前記制御装置、前記ランプ及び前記スイッチの間で、放送信号としてワイヤレス的に交換されることができる。
【００１１】
第３の実施例において、別個の導電性ケーブルが、前記制御装置、前記ランプ及び前記スイッチの間に配され、該導電性ケーブルを介して、データ交換が行われる。
【００１２】
第４の実施例において、前記照明ユニットの光は、変調されることができ、前記のような光の変調を介して、データ交換が行われる。有利には、この光変調は、人間の目によって知覚されるものではない。
【発明を実施するための最良の形態】
【００１３】
本発明のこれら及び他の見地は、以下に記載される実施例を参照することによって、明らかになり、説明されるであろう。
【００１４】
異なる図において、類似の又は同一の構成要素は、同一の符号によって表されている。
【００１５】
図１は、照明手段２、ランプソケット３、センサ４及びリフレクタ５を備えているランプ１を示している。
【００１６】
図２Ａは、一列に配されている４つのランプを示している。左側から２番目のランプは、オンに切り換えられており、床９によって反射されていると共に近傍のランプ１のセンサ４によって受け取られている光ビーム６、７及び８を放射している。直近のランプ１のセンサ４への光ビーム６及び７は、右手側の更に遠いランプ１のセンサ４に対する光ビーム８よりも短い距離を覆っている。センサ４に当たる際、前記短い距離を覆っている光ビーム６及び７は、長い距離を覆っている光ビーム８よりも高い強度を有する。従って、直近のランプ１のセンサ４は、更に遠いランプ１のセンサ４よりも高い光の値を検出する。
【００１７】
図２Ｂも、一列に配されている４つのランプを示している。左側から３番目のランプ１がオンに切り換えられており、床９によって反射されていると共に近傍のランプ１のセンサ４によって受け取られている光ビーム６、７及び８を放射している。直近のランプ１のセンサ４への光ビーム６及び７は、左手側における更に遠いランプ１のセンサ４への光ビーム８よりも短い距離を覆っている。センサ４に当たる際、短い距離を覆っている光ビーム６及び７は、長い距離を覆っている光ビーム８よりも高い強度を有する。従って、直近のランプ１のセンサ４は、更に遠いランプ１のセンサ４よりも高い光の値を検出する。
【００１８】
図２Ｃも、一列に配されている４つのランプを示している。左側から４番目のランプ１が、オンに切り換えられており、床９によって反射されていると共に近傍のランプ１のセンサ４によって受け取られている光ビーム６、７及び８を放射している。第１のランプ１は、直近のものであり、第２のランプは、光を放射しているランプから長い距離を隔てており、第３のランプは、更に長い距離を隔てている。光ビーム６は、長い距離を覆っており、光ビーム７は、更に長い距離を覆っており、光ビーム８は、更により長い距離を覆っている。光ビーム６、７及び８の強度は、覆われている距離の長さと共に減少し、従って、センサ４に当たる際に異なるものであり、従って、ランプ１のトポロジに関する命令が作られることができる。
【図面の簡単な説明】
【００１９】
【図１】ソケット、照明手段及びセンサを有するランプを、部分的な側断面図において示している。
【図２Ａ】４つのランプの配置の模式的な表現であり、前記４つのランプのうちの１つのランプが光を放射し、他の３つのランプが、受け取られることができる光を測定している。
【図２Ｂ】４つのランプの配置の模式的な表現であり、前記４つのランプのうちの他のランプが光を放射し、他の３つのランプが、受け取られることができる光を測定している。
【図２Ｃ】４つのランプの配置の模式的な表現であり、前記４つのランプのうちの第３のランプが光を放射し、他の3つのランプが、受け取られることができる光を測定している。
【符号の説明】
【００２０】
１  ランプ
２  照明手段
３  ランプソケット
４  センサ
５  リフレクタ
６  光ビーム
７  光ビーム
８  光ビーム
９  床
【図１】
2009510671.tif 000003
【図２Ａ】
2009510671.tif 000004
【図２Ｂ】
2009510671.tif 000005
【図２Ｃ】
2009510671.tif 000006
【国際調査報告】
2009510671.tif 000007
2009510671.tif 000008
2009510671.tif 000009